(57)【要約】【課題】上下筐体それぞれに内蔵された回路基板を電気的に接続する細線同軸ケーブルの筐体内での引き回しによるアンテナへの影響を低減できるとともに、筐体の薄型化を図ることができる携帯無線機を提供する。【解決手段】下筐体１０内の第１の回路基板１１と上筐体２０内の第２の回路基板２２とを電気的に接続する細線同軸ケーブル２８の少なくとも、グランド電位の金属板２１と容量結合する部分２８ａを偏平に形成した。これにより、細線同軸ケーブル２８をアンテナ２７で使用する周波数帯において充分に金属板２１すなわちグランドの電位と等価とみなすことができ、細線同軸ケーブル２８のアンテナ２７への影響を低減できる。すなわち、アンテナ２７の利得の劣化を防ぐことができる。また、細線同軸ケーブル２８の部分２８ａを偏平に形成したことによって、筐体の薄型化を図ることができる。【選択図】図２
2012216975.tif 000002
【特許請求の範囲】
【請求項１】
第１の筐体と、
前記第１の筐体に対して回動可能に連結された第２の筐体と、
前記第１の筐体内に設けられた第１の回路基板と、
前記第２の筐体内に設けられた第２の回路基板と、
前記第１の回路基板と前記第２の回路基板とを電気的に接続する細線同軸ケーブルと、
前記細線同軸ケーブルと容量結合するように、前記第１の筐体内又は前記第２の筐体内に設けられたグランド電位の金属板と、
前記細線同軸ケーブルの近傍であり、かつ前記第１の筐体内又は前記第２の筐体内に設けられたアンテナと、を備え、
前記細線同軸ケーブルの少なくとも前記金属板と容量結合する部分が偏平に形成されている携帯無線機。
【請求項２】
前記第１の筐体及び前記第２の筐体はそれぞれヒンジ部を有し、
前記アンテナは、前記第１の筐体のヒンジ部又は前記第２の筐体のヒンジ部に設けられており、
前記細線同軸ケーブルは、前記第１の筐体のヒンジ部及び前記第２の筐体のヒンジ部を介して設けられている請求項１に記載の携帯無線機。
【請求項３】
前記金属板の一端部には、前記細線同軸ケーブルの引き回しに合わせて傾斜がつけられている請求項１又は請求項２に記載の携帯無線機。
【発明の詳細な説明】
【技術分野】
【０００１】
本発明は、折りたたみ構造の携帯無線機に関する。
【背景技術】
【０００２】
携帯電話機に代表される携帯無線機の筐体構造には、ストレートタイプ、折りたたみタイプ、スライドタイプがある。特に、折りたたみタイプには、下筐体に対して上筐体を回動自在に連結させて開閉のみの行える構造のもの、下筐体に対して上筐体を回動自在に連結させるとともに、上筐体を水平方向（上下筐体の開閉方向を垂直方向とする）に１８０度の回動可能とした構造（スィーベル構造と呼ばれる）のもの、縦方向及び横方向のそれぞれの方向に対して開くことができる構造（ダブルオープン構造と呼ばれる）ものがある。
【０００３】
折りたたみ構造の携帯無線機では、上下筐体のそれぞれに回路基板が内蔵されており、これらの回路基板は細線同軸ケーブルで電気的に接続される。図５は、従来の折りたたみ構造の携帯無線機の上筐体内部構造の概略を示す図である。すなわち、同図は、携帯無線機１００の上筐体２０の略中央部から下端側のヒンジ部２０ａまでの間の内部構造を示している。また、図６は、図５の携帯無線機１００の上筐体２０のＣ−Ｃ線断面図である。
【０００４】
図５及び図６において、上筐体２０内には、上筐体２０内部の略全域に亘る大きさに形成された金属板２１と、金属板２１の一方の面（“表面”と呼ぶ）上に配置される回路基板２２と、金属板２１の表面上であって、回路基板２２に隣接配置されるサブＬＣＤ（Liquid Crystal Display）２３と、金属板２１の他方の面（“裏面”と呼ぶ）上に配置されるメインＬＣＤ２４とが設けられている。上筐体２０の下端側のヒンジ部２０ａと下筐体１０の上端側のヒンジ部１０ａがヒンジ２５によって回動自在に連結される。なお、図５は閉じた状態を示しているので、下筐体１０は上筐体２０に隠れて殆ど見えていない。
【０００５】
上筐体２０内に設けられた回路基板２２と下筐体１０内に設けられた回路基板１１とが細線同軸ケーブル２６で電気的に接続される。下筐体１０のヒンジ部１０ａにはアンテナ２７が内蔵されている。携帯無線機内の狭い空間で細線同軸ケーブル２６を筐体内で引き回すことで、アンテナ２７がその影響を受けてしまう。具体的にはアンテナ２７の利得が劣化してしまう。図６の断面図に示すように、細線同軸ケーブル２６は、その断面がほぼ円形となる円柱形状であることから、金属板２１と接触する面積が小さく、金属板２１との間の容量結合３０が小さい。このため、細線同軸ケーブル２６が充分に金属板２１すなわちグランドに接続されない。このことが原因で、アンテナ２７が細線同軸ケーブル２６の影響を受けてしまう。
【０００６】
このような課題は従来から存在し、特許文献１に記載された携帯無線機では、この課題を解決するために、細線同軸ケーブルの筐体内での長い引き回しに対して、細線グランドをコネクタ以外の場所で回路基板のグランドに直接接続する手段を設けている。また、その他の方法として、細線同軸ケーブルの一部分を金属部材で金属板に接続するようにしたものもある。図７は、そのような構造を採る折りたたみ構造の携帯無線機１０１の上筐体内部構造の概略を示す図である。同図に示すように、上筐体２０内の金属板２１の下端部２１ａの中央に凹状の剥き落とし２１ｄが形成され、その剥き落とし２１ｄの部分に金属金具５０が取り付けられている。この金属金具５０には、その中央部に細線同軸ケーブル２６の外径より僅かに短い経の半円状の突起部５０ａが形成されており、この突起部５０ａに細線同軸ケーブル２６の一部分が圧入されて保持される。このとき、細線同軸ケーブル２６は、その半分以上の表面積で金属金具５０と接することになるので、細線同軸ケーブル２６との間の容量結合を大きくとることができ、上記特許文献１と略同様の効果が期待できる。
【先行技術文献】
【特許文献】
【０００７】
【特許文献１】特開２００６−００５５６７号公報
【発明の概要】
【発明が解決しようとする課題】
【０００８】
ところで、携帯無線機は、容易に携帯できることが重要であり、それを実現する１つとして筐体の薄型化が挙げられる。しかしながら、上述した従来の携帯無線機１００，１０１では、上下筐体２０，１０間を接続する細線同軸ケーブル２６が薄型化を阻害する１つの要因となっている。上述した特許文献１を含む各技術は、細線同軸ケーブルの引き回しによるアンテナへの影響を低減できるものの、筐体の薄型化は図れない。
【０００９】
本発明は、係る事情に鑑みてなされたものであり、折りたたみ構造の携帯無線機において、上下筐体それぞれに内蔵された回路基板を電気的に接続する細線同軸ケーブルの筐体内での引き回しによるアンテナへの影響を低減できるとともに、筐体の薄型化を図ることができる携帯無線機を提供することを目的とする。
【課題を解決するための手段】
【００１０】
本発明の携帯無線機は、第１の筐体と、前記第１の筐体に対して回動可能に連結された第２の筐体と、前記第１の筐体内に設けられた第１の回路基板と、前記第２の筐体内に設けられた第２の回路基板と、前記第１の回路基板と前記第２の回路基板とを電気的に接続する細線同軸ケーブルと、前記細線同軸ケーブルと容量結合するように、前記第１の筐体内又は前記第２の筐体内に設けられたグランド電位の金属板と、前記細線同軸ケーブルの近傍であり、かつ前記第１の筐体内又は前記第２の筐体内に設けられたアンテナと、を備え、前記細線同軸ケーブルの少なくとも前記金属板と容量結合する部分が偏平に形成されている。
【００１１】
上記構成によれば、細線同軸ケーブルの少なくとも金属板と容量結合する部分を偏平に形成したので、細線同軸ケーブルの当該部分と金属板との間の容量値を大きくとることができ、その結果細線同軸ケーブルをアンテナで使用する周波数帯（例えば２ＧＨｚ帯）において充分に金属板すなわちグランドの電位と等価とみなすことができる。これにより、細線同軸ケーブルの筐体内での引き回しによるアンテナへの影響を低減できる。また、細線同軸ケーブルの少なくとも金属板と容量結合する部分を偏平にしたことによって、筐体の薄型化を図ることができる。すなわち、細線同軸ケーブルの筐体内での引き回しによるアンテナへの影響の低減と、筐体の薄型化を同時に達成することができる。
【００１２】
上記構成において、前記第１の筐体及び前記第２の筐体はそれぞれヒンジ部を有し、前記アンテナは、前記第１の筐体のヒンジ部又は前記第２の筐体のヒンジ部に設けられており、前記細線同軸ケーブルは、前記第１の筐体のヒンジ部及び前記第２の筐体のヒンジ部を介して設けられている。
【００１３】
上記構成によれば、細線同軸ケーブルを、容量的に充分に金属板すなわちグランドに接続できるため、細線同軸ケーブルをアンテナの近傍に配置しても、アンテナの利得低下を低く抑えることができる。
【００１４】
上記構成において、前記金属板の一端部には、前記細線同軸ケーブルの引き回しに合わせて傾斜がつけられている。
【００１５】
上記構成によれば、金属板と細線同軸ケーブルとの容量結合部分を広げることにより、容量値をより大きくすることができる。
【発明の効果】
【００１６】
本発明によれば、折りたたみ構造の携帯無線機において、上下筐体を電気的に接続する細線同軸ケーブルの引き回しによるアンテナへの影響を低減できるとともに、筐体の薄型化を図ることができる。
【図面の簡単な説明】
【００１７】
【図１】本発明の一実施の形態に係る携帯無線機の概観を示す斜視図
【図２】図１の携帯無線機の上筐体内部構造の概略を示す図
【図３】図２の携帯無線機の上筐体のＡ−Ａ線断面図
【図４】図１の携帯無線機の応用例の上筐体内部構造の概略とＢ−Ｂ線断面を示す図
【図５】従来の折りたたみ構造の携帯無線機の上筐体内部構造の概略を示す図
【図６】図５の携帯無線機の上筐体のＣ−Ｃ線断面図
【図７】従来の他の折りたたみ構造の携帯無線機の上筐体内部構造の概略を示す図
【発明を実施するための形態】
【００１８】
以下、本発明を実施するための好適な実施の形態について、図面を参照して詳細に説明する。
【００１９】
図１は、本発明の一実施の形態に係る携帯無線機の概観を示す斜視図であり、（ａ）は上下筐体を開いたときの状態を示し、（ｂ）は上下筐体を閉じたときの状態を示す。図２は、図１の携帯無線機の上筐体内部構造の概略を示す図である。また、図３は、図２の携帯無線機の上筐体のＡ−Ａ線断面図である。なお、図１〜図３において、前述した図５，６と共通する部分には同一の符号を付けている。
【００２０】
図１〜図３において、本実施の形態の携帯無線機１は、下筐体（第１の筐体）１０と、下筐体１０に対して回動可能に連結された上筐体（第２の筐体）２０と、下筐体１０内に設けられた第１の回路基板１１と、上筐体２０内に設けられた第２の回路基板２２と、第１の回路基板１１と第２の回路基板２２とを電気的に接続する細線同軸ケーブル２８と、上筐体２０内に設けられたグランド電位の金属板２１と、細線同軸ケーブル２８の近傍であり、かつ下筐体１０内に設けられたアンテナ２７と、を備えている。
【００２１】
上筐体２０の下端側のヒンジ部２０ａと下筐体１０の上端側のヒンジ部１０ａとがヒンジ２５によって回動自在に連結される。下筐体１０のヒンジ部１０ａには、アンテナ２７が設けられている。なお、アンテナ２７を上筐体２０のヒンジ部２０ａに設けることも勿論可能である。細線同軸ケーブル２８は、下筐体１０のヒンジ部１０ａ及び上筐体２０のヒンジ部２０ａを介して設けられている。細線同軸ケーブル２８は、金属板２１と容量結合する部分２８ａ（１点鎖線を引いた部分）が偏平に形成されている。細線同軸ケーブル２８の金属板２１と容量結合する部分２８ａを偏平に形成することで、図３の断面図に示すように、金属板２１との接触面積を大きくとることができ、金属板２１との間の容量結合３０（容量値）を大きくでき、その結果細線同軸ケーブル２８をアンテナ２７で使用する周波数帯（例えば２ＧＨｚ帯）において充分に金属板２１すなわちグランドの電位と等価とみなすことができる。これにより、アンテナ２７の近傍に細線同軸ケーブル２８を配置しても、細線同軸ケーブル２８のアンテナ２７への影響を低減できる。すなわち、アンテナ２７の利得の劣化を防ぐことができる。
【００２２】
また、細線同軸ケーブル２８の金属板２１と容量結合する部分２８ａを偏平に形成したことで、筐体の薄型化を図ることができる。すなわち、細線同軸ケーブル２８の上下筐体２０，１０内での引き回しによるアンテナ２７への影響の低減と、筐体の薄型化を同時に達成することができる。なお、細線同軸ケーブル２８は、特に、金属板２１と容量結合する部分２８ａが偏平になっていれば良いが、ケーブル全体を偏平に形成しても構わない。すなわち、細線同軸ケーブル２８は、少なくとも金属板２１と容量結合する部分２８ａが偏平に形成されていれば良い。また、金属板を下筐体１０側に設ける場合は、細線同軸ケーブル２８の下筐体１０側の金属板と容量結合する部分を偏平に形成することになる。
【００２３】
このように本実施の形態の携帯無線機１によれば、下筐体１０内に設けられた第１の回路基板１１と、上筐体２０内に設けられた第２の回路基板２２とを電気的に接続する細線同軸ケーブル２８の少なくとも、グランド電位の金属板２１と容量結合する部分２８ａを偏平に形成したので、細線同軸ケーブル２８の当該部分２８ａと金属板２１との間の容量値を大きくできる。これにより、細線同軸ケーブル２８をアンテナ２７で使用する周波数帯において充分に金属板２１すなわちグランドの電位と等価とみなすことができ、アンテナ２７の近傍に細線同軸ケーブル２８を配置しても、細線同軸ケーブル２８のアンテナ２７への影響を低減できる。すなわち、アンテナ２７の利得の劣化を防ぐことができる。
【００２４】
また、細線同軸ケーブル２８の少なくとも金属板２１と容量結合する部分２８ａを偏平に形成したことによって、筐体の薄型化を図ることができる。このように、細線同軸ケーブル２８の筐体内での引き回しによるアンテナ２７への影響の低減と、筐体の薄型化を同時に達成することができる。
【００２５】
なお、本実施の形態の携帯無線機１において、金属板２１の一端部に、細線同軸ケーブル２８の引き回しに合わせて傾斜を付けるようにしてもよい。図４の（ａ）は、その構造を有する携帯無線機２の上筐体内部構造の概略を示す図であり、図４の（ｂ）は（ａ）のＢ−Ｂ線断面を示す図である。同図に示すように、細線同軸ケーブル２８の引き回しに合わせて、金属板２１の下端部２１ａに２つのスリット２１ｂを形成し、２つのスリット２１ｂ間の部分（折り曲げ部分）２１ｃを折り曲げて傾斜を付ける。このときの傾斜角は、細線同軸ケーブル２８の引き回しに合わせる。このようにすることで、金属板２１と細線同軸ケーブル２８との接触をより確実なものにできる。なお、図４の（ｂ）において、符号２３ａはサブＬＣＤ２３の表面パネルである。また、符号２４ａはメインＬＣＤ２４の表面パネルである。
【００２６】
また、本実施の形態の携帯無線機１は、下筐体１０に対して上筐体２０を回動自在に連結させて開閉のみの行える構造のものであったが、下筐体に対して上筐体を回動自在に連結させるとともに、上筐体を水平方向に１８０度の回動可能としたスィーベル構造のものや、縦方向及び横方向のそれぞれの方向に対して開くことができるダブルオープン構造のものにも勿論適用できる。
【産業上の利用可能性】
【００２７】
本発明は、折りたたみ構造の携帯無線機において、上下筐体それぞれに内蔵された回路基板を電気的に接続する細線同軸ケーブルの筐体内での引き回しによるアンテナへの影響を低減できるとともに、筐体の薄型化を図ることができるといった効果を有し、様々なタイプの折りたたみ構造の携帯電話機などへの適用が可能である。
【符号の説明】
【００２８】
１，２  携帯無線機
１０  下筐体
１０ａ  ヒンジ部
１１  第１の回路基板
２０  上筐体
２０ａ  ヒンジ部
２１  金属板
２１ａ  金属板の下端部
２１ｂ  スリット
２１ｃ  折り曲げ部
２２  第２の回路基板
２３  サブＬＣＤ
２３ａ  サブＬＣＤの表面パネル
２４  メインＬＣＤ
２４ａ  メインＬＣＤの表面パネル
２５  ヒンジ
２７  アンテナ
２８  細線同軸ケーブル
２８ａ  細線同軸ケーブルの金属板と容量結合する部分
【図１】
2012216975.tif 000003
【図２】
2012216975.tif 000004
【図３】
2012216975.tif 000005
【図４】
2012216975.tif 000006
【図５】
2012216975.tif 000007
【図６】
2012216975.tif 000008
【図７】
2012216975.tif 000009